(57)【要約】【課題】商品を販売する店頭や店内で、各種商品を陳列すると共に、消費者の購買意欲を促すような、訴求効果の高い商品陳列用什器が求められている。【解決手段】消費者の視覚、聴覚に訴えるという高い訴求効果があり、モニターの向きを消費者に合わせて自由に調整でき、スピーカーの音量も調節でき、インターネット接続も可能で、省スペース化が図られ、低コスト化が可能で、商品の様々な情報が提供でき、陳列された商品の見映えもよい商品陳列用什器を完成させた。【選択図】図４
2005189624.tif 000002
【特許請求の範囲】
【請求項１】
商品を陳列するための商品陳列用什器であって、ＰＤＡ（パーソナル・デジタル・アシスタント）とスピーカーを具備することを特徴とする商品陳列用什器。
【請求項２】
前記ＰＤＡがタイマー機能を有し、映像と音声のオン、オフが自動で設定できることを特徴とする請求項１記載の商品陳列用什器。
【請求項３】
前記ＰＤＡのモニターの向きが調整可能であることを特徴とする請求項１または２に記載の商品陳列用什器。
【請求項４】
前記ＰＤＡがインターネットに接続できることを特徴とする請求項１乃至３に記載の商品陳列用什器。
【請求項５】
前記スピーカーの音量が調整可能であることを特徴とする請求項１乃至４に記載の商品陳列用什器。
【発明の詳細な説明】
【技術分野】
【０００１】
本発明は、店頭等において商品を陳列するために用いられる商品陳列用什器に関するものである。
【背景技術】
【０００２】
従来、商品を販売する店頭や店内には、各種商品を並べて陳列したり、商品の説明を加えたりするための商品陳列用什器が設置されている。この商品陳列用什器は店頭や店内での消費者の購買意欲を促すために、訴求効果の高いものが求められている。
【０００３】
この要求を満足させるために、これまで種々の提案がなされている。例えば、靴下類の展示、販売に関し、カラーや柄等の訴求をしやすく、省スペース化を可能にした展示用具（特許文献１参照）、物品に関する情報を大きく表示でき、物品の分類が容易である物品展示用容器（特許文献２参照）、商品陳列什器に掲示するコルトンボックス（特許文献３参照）。
【特許文献１】特開２００３−４０６号公報
【特許文献２】特開平７−３０３５５０号公報
【特許文献３】特開平１１−１０９８６０号公報
【発明の開示】
【発明が解決しようとする課題】
【０００４】
しかしながら、上述した従来技術（特許文献１）の商品陳列用什器は、消費者が靴下類の柄やカラーの判別が容易にできるという効果はあるものの、消費者が商品陳列用什器に近づかなければ、その効果は発揮できないという欠点がある。
【０００５】
また、他の従来技術（特許文献２）の物品展示用容器は、ケース体の前面に陳列物品に関する情報を表示しかつ着脱自在な表示部が備えられていて、視覚的に商品が引き立つ構成になっているものの、視覚のみに訴えることから、店舗内での設置場所に工夫を凝らす必要が生じる。
【０００６】
また、他の従来技術（特許文献３）のコルトンボックスは、簡単軽量な構造で、フィルムの交換が容易であるが、平面的な情報しか提供できず、訴求効果としては充分でないものとなっている。
【０００７】
また、従来から店頭において、テレビ等のモニターを設置し、陳列している商品の情報を表示する方法があるが、広い設置スペースが必要となる上、ビデオ装置を使っている場合には、巻き戻し等の付随作業が必要であり、効率性に欠けたものとなっている。
【課題を解決するための手段】
【０００８】
本発明者は、上述した課題を鋭意検討した結果、高い訴求効果を持ち、省スペース、低コストで、商品の情報が提供できる商品陳列用什器の発明の完成に至った。
【０００９】
すなわち本発明は、商品を陳列するための商品陳列用什器であって、商品台とともに、ＰＤＡ（パーソナル・デジタル・アシスタントの略）とスピーカーを具備することを特徴とする商品陳列用什器である。
【００１０】
また、前記ＰＤＡがタイマー機能を有し、映像と音声のオン、オフが自動で設定できることを特徴とする。
【００１１】
また、前記ＰＤＡのモニターの向きが調整可能であることを特徴とする。
【００１２】
また、前記ＰＤＡがインターネットに接続できることを特徴とする。
【００１３】
また、前記スピーカーの音量が調整可能であることを特徴とする。
【発明の効果】
【００１４】
本発明の商品陳列什器は、ＰＤＡのモニター画面とそれに同期したスピーカーからの音声により、消費者を惹きつけることができ、商品の説明も効果的に実施できるので、高い訴求効果を得ることができる。
【００１５】
また、ＰＤＡの向きを容易に調整できるので、設置場所が変わってもモニターを常に消費者が良く見える位置に設定できる。
【００１６】
また、ＰＤＡをインターネットに接続することにより、映像や音声を容易に変更することができる。
【００１７】
また、スピーカーの音量が調整可能であるので、店内の奥のほうに設置されていても、音量を大きくすることにより離れた場所に位置する消費者を惹きつけることができる。
【発明を実施するための最良の形態】
【００１８】
以下、本発明の実施形態の一例を図面によって説明する。
図１は、商品陳列用什器１を組み立てた状態の斜視図であり、本発明の商品陳列用什器１は、ＰＤＡホルダー１０と商品台１１とサンプル台１２と見本台１３とからなる。ここで、ＰＤＡ（パーソナル・デジタル・アシスタント）２０は商品陳列用什器１の前段中央部に位置するＰＤＡホルダー１０の内部に収納され、ホルダーに開けられたモニター窓１４からＰＤＡ２０のモニター２１を表示するようになっている。また、ＰＤＡ２０は配線２２によりスピーカー２３を接続しており、該スピーカー２３は見本台１３の内部に設置されている。
【００１９】
このＰＤＡホルダー１０は、図２に示すように、左右側縁部の上側部分でホルダー取りつけ部品２５によりＰＤＡホルダー１０の両側に位置するサンプル台１２と見本台１３と係合されており、ＰＤＡホルダー１０が上下に回動可能になっている。従って、設置する高さに応じて、消費者から見える方向にモニター２１の正面が位置するように設定できる。なお、ＰＤＡホルダー１０は上下に回動可能になる以外に、上下左右方等に回動可能になるように構成してもよい。
【００２０】
本発明の商品陳列用什器１は、既製品であるＰＤＡ２０を使用するため、そのＰＤＡ２０の持っている機能を容易に使うことができる。従って、新たに機能を開発する必要もなく、低コストで数多くの処理が実施できる。以下にその処理について説明する。
【００２１】
モニター２１から流す映像や、スピーカー２３から発する音声は、ＰＤＡ２０に付属のＩＣカード内のデータを使う。このため、エンドレスで繰り返し出力することができ、ビデオテープのように都度巻き戻す操作を必要としない点で効率的である。
【００２２】
ＰＤＡ２０には外部への音声出力機能があり、スピーカー２３と配線２２により接続することで所定の音量の音声を出力できる。音量の調節は、図３に示すように、見本台１３の内部に設置されたスピーカー２３の側面にあるボリュームつまみ２４によって行う。な
お、スピーカー２３は見本台１３の内部に位置するため、見本台１３には音声が外部に聞
こえ易くなるように通音孔を開けておくのが望ましい。この音量調節機能を利用して、その状況に応じた音量の設定が可能となる。例えば、店内の奥に設置する場合や、店頭から離れたところに位置する消費者の注意を惹きつけるために音量を上げることもでき、あるいは、音楽等の店内放送が流れていても商品の説明が聞き取れるように音量を設定でき、また、消費者との会話中には音量を下げるというような対応が可能となる。
【００２３】
また、ＰＤＡ２０が持っている機能としてタイマー機能があり、ＰＤＡ２０の電源のオン、オフをタイマーで設定できる。この機能を利用して、店舗の開店時間に合わせて電源をオンにして、映像と音声の提供を開始し、閉店時間に合わせて電源をオフにして、映像と音声の提供を自動的に終了させることができ、省エネルギーが図られると同時に、店員のメンテナンス作業を省略できるという作業の効率化を図ることが可能となる。
【００２４】
更に、ＰＤＡ２０が持っている機能としてインターネットへの接続機能がある。この機能を利用して、ある特定のホームページの情報を流す設定にしておけば、週替わりに商品の強調するポイント替えたり、商品が入れ替わった場合に、ホームページの情報を替えるだけで、ＰＤＡから出力される情報も自動的に替えることができ、作業の効率化や情報提供の迅速化が図られる。
【００２５】
本発明の商品陳列用什器は、商品台１１とＰＤＡホルダー１０とスピーカー２３から構成されるだけでもよい。また、それらと見本台１３やサンプル台１２との任意の組み合わせであってもよい。
【００２６】
図４は、本発明の商品陳列用什器１に商品３１と商品サンプル３２と色見本３３を展示した一実施例である。前面に商品サンプル３２及び色見本３３を配置し、商品の説明をＰＤＡ２０から映像と音声を流す事で、消費者を商品に惹きつける効果を有する。商品３１、商品サンプル３２、色見本３３以外にも、宣伝効果のある人形を乗せたり、キャッチフレーズをデザインして表示したり、展示するものは自由に選択でき、また、その配置も自由にレイアウトできる。
【００２７】
以上の構成により、本発明の商品陳列用什器は高い訴求効果を持ち、商品の陳列とともに、消費者へ商品に関する充分な情報が提供でき、省スペース、低コスト化が図られる。
【図面の簡単な説明】
【００２８】
【図１】商品陳列用什器の一例の実施形態の斜視図である。
【図２】上下に回動可能なＰＤＡホルダーを示す斜視図である。
【図３】見本台内にあるスピーカーのボリュームつまみを示す斜視図である。
【図４】商品、商品サンプル、色見本を展示した商品陳列用什器の斜視図である。
【符号の説明】
【００２９】
１    商品陳列用什器
１０  ＰＤＡホルダー
１１  商品台
１２  サンプル台
１３  見本台
１４  モニター窓
２０  ＰＤＡ（パーソナル・デジタル・アシスタント）
２１  モニター
２２  配線
２３  スピーカー
２４  ボリュームつまみ
２５  ホルダー取りつけ部品
３１  商品
３２  商品サンプル
３３  色見本
【図１】
2005189624.tif 000003
【図２】
2005189624.tif 000004
【図３】
2005189624.tif 000005
【図４】
2005189624.tif 000006